(57)【特許請求の範囲】
【請求項１】
画像を表示可能な表示手段と、
前記表示手段の表示面中でユーザーにより指示された位置を検出する位置検出手段と、
予め定められた順番が付された複数の選択画像のうちから順番が連続する所定数の選択画像を選択し、選択された所定数の選択画像をスクロール領域に並べて表示する選択画像表示手段と、
前記所定数の選択画像のうちに前記複数の選択画像のうちで最初の順番の選択画像が含まれていないことを条件に、前記スクロール領域の両端にそれぞれ含まれる２つの重畳領域の一方にスクロール指示受付画像を表示し、前記所定数の選択画像のうちに前記複数の選択画像のうちで最後の順番の選択画像が含まれていないことを条件に、前記２つの重畳領域の他方にスクロール指示受付画像を表示する指示受付画像表示手段と、
前記位置検出手段により前記２つの重畳領域いずれかの内部の位置が連続して所定回数以上検出されることに応じて、受付モードを通常モードから連続モードに切り換えるモード切換手段と、
前記受付モードが前記通常モードの状態で前記２つの重畳領域のいずれかの内部の位置が前記位置検出手段により検出される場合、前記２つの重畳領域のうち前記位置検出手段により検出される位置を含む重畳領域に前記スクロール指示受付画像が表示されていればスクロール操作を検出し、前記スクロール指示受付画像が表示されていなければ前記スクロール領域に表示された前記所定数の選択画像のうち前記位置検出手段により検出される位置を含む選択画像を特定する選択画像指示操作を検出し、前記受付モードが連続モードの状態で前記２つの重畳領域のいずれかの内部の位置が前記位置検出手段により検出される場合、前記２つの重畳領域のうち前記位置検出手段により検出される位置を含む重畳領域に前記スクロール指示受付画像が表示されているか否かに係わらず前記スクロール操作を検出する指示検出手段と、を備え、
前記選択画像表示手段は、前記スクロール操作が検出されることに応じて、前記スクロール操作が検出される時点で選択されている前記所定数の選択画像のいずれよりも順番が前または後の選択画像を含む所定数の選択画像を選択する、電子機器。
【請求項２】
前記受付モードが連続モードの状態で、前記所定数の選択画像のうちに前記複数の選択画像のうちで最初または最後の順番の選択画像が含まれている場合、前記スクロール指示受付画像を前記スクロール領域に表示する操作支援手段を、さらに備えた請求項１に記載の電子機器。
【請求項３】
前記選択画像表示手段は、前記複数の選択画像のうちで最初または最後の順番の選択画像を含む所定数の選択画像を選択した後は、その後に前記スクロール操作が検出されても選択画像を選択しない、請求項１または２に記載の電子機器。
【請求項４】
前記指示検出手段は、前記受付モードが連続モードの状態で前記位置検出手段により前記２つの重畳領域のいずれかの内部の位置が検出される場合、前記選択画像表示手段により前記複数の選択画像のうちで最初または最後の順番の選択画像を含む所定数の選択画像が選択されるまで前記スクロール操作を検出し、前記選択画像表示手段により前記複数の選択画像のうちで最初または最後の順番の選択画像を含む所定数の選択画像が選択された後は前記スクロール操作を検出しない、請求項１に記載の電子機器。
【請求項５】
前記モード切換手段は、前記受付モードを前記連続モードに切り換えている状態では、前記連続モードに切り換える前から前記位置検出手段により連続して検出されている前記２つの重畳領域いずれかの内部の位置が前記位置検出手段により検出されなくなると、前記受付モードを前記連続モードから前記通常モードに切り換える、請求項１〜４のいずれかに記載の電子機器。
【請求項６】
前記モード切換手段は、前記位置検出手段により前記２つの重畳領域いずれかの内部の位置が最後に検出されてから所定時間以上経過すると、前記受付モードを連続モードから通常モードに切り換える、請求項５に記載の電子機器。
【請求項７】
前記位置検出手段により前記位置検出手段により前記２つの重畳領域いずれかの内部の位置が連続して検出される間隔をユーザーごとの履歴情報として記憶し、前記記憶された履歴情報に基づいて前記所定時間を決定するしきい値決定手段を、さらに備えた請求項６に記載の電子機器。
【請求項８】
前記モード切換手段は、前記受付モードが通常モードの状態で、前記位置検出手段により前記２つの重畳領域いずれかの内部の位置が検出されてから第１の時間が経過する前に前記位置検出手段により前記２つの重畳領域いずれかの内部の位置が検出されることに応じて、前記受付モードを連続モードに切り換え、前記受付モードが連続モードの状態で、前記位置検出手段により前記２つの重畳領域いずれかの内部の位置が検出されてから前記第１の時間よりも長い第２の時間が経過すると、前記受付モードを通常モードに切り換える、請求項１〜４のいずれかに記載の電子機器。
【請求項９】
前記位置検出手段により前記位置検出手段により前記２つの重畳領域いずれかの内部の位置が連続して検出される間隔をユーザーごとの履歴情報として記憶し、前記記憶された履歴情報に基づいて前記第１の時間を決定するしきい値決定手段を、さらに備えた請求項８に記載の電子機器。
【請求項１０】
前記受付モードが連続モードの状態で、前記選択画像表示手段により前記複数の選択画像のうちから順番が最初または最後の選択画像が選択されることに応じて、順番が最初または最後の選択画像が選択されたことを通知する通知手段を、さらに備えた、請求項１〜９のいずれかに記載の電子機器。
【請求項１１】
前記受付モードが連続モードの状態で、前記選択画像表示手段により前記複数の選択画像のうちから順番が最初または最後の選択画像が選択されるまでに、前記指示検出手段が前記スクロール操作を検出可能な回数を表示する回数表示手段を、さらに備えた請求項１〜１０のいずれかに記載の電子機器。
【請求項１２】
前記複数の選択画像は、サイズが同じであり、
前記スクロール指示受付画像のサイズは、前記複数の選択画像のサイズより小さい、請求項１〜１１のいずれかに記載の電子機器。
【請求項１３】
電子機器で実行される操作受付方法であって、
前記電子機器は、画像を表示可能な表示手段と、
前記表示手段の表示面中でユーザーにより指示された位置を検出する位置検出手段と、を備え、
予め定められた順番が付された複数の選択画像のうちから順番が連続する所定数の選択画像を選択し、選択された所定数の選択画像をスクロール領域に並べて表示する選択画像表示ステップと、
前記所定数の選択画像のうちに前記複数の選択画像のうちで最初の順番の選択画像が含まれていないことを条件に、前記スクロール領域の両端にそれぞれ含まれる２つの重畳領域の一方にスクロール指示受付画像を表示し、前記所定数の選択画像のうちに前記複数の選択画像のうちで最後の順番の選択画像が含まれていないことを条件に、前記２つの重畳領域の他方にスクロール指示受付画像を表示する指示受付画像表示ステップと、
前記位置検出手段により前記２つの重畳領域いずれかの内部の位置が連続して所定回数以上検出されることに応じて、受付モードを通常モードから連続モードに切り換えるモード切換ステップと、
前記受付モードが前記通常モードの状態で前記２つの重畳領域のいずれかの内部の位置が前記位置検出手段により検出される場合、前記２つの重畳領域のうち前記位置検出手段により検出される位置を含む重畳領域に前記スクロール指示受付画像が表示されていればスクロール操作を検出し、前記スクロール指示受付画像が表示されていなければ前記スクロール領域に表示された前記所定数の選択画像のうち前記位置検出手段により検出される位置を含む選択画像を特定する選択画像指示操作を検出し、前記受付モードが連続モードの状態で前記２つの重畳領域のいずれかの内部の位置が前記位置検出手段により検出される場合、前記２つの重畳領域のうち前記位置検出手段により検出される位置を含む重畳領域に前記スクロール指示受付画像が表示されているか否かに係わらず前記スクロール操作を検出する指示検出ステップと、を前記電子機器に実行させ、
前記選択画像表示ステップは、前記スクロール操作が検出されることに応じて、前記スクロール操作が検出される時点で選択されている前記所定数の選択画像のいずれよりも順番が前または後の選択画像を含む所定数の選択画像を選択するステップを含む、操作受付方法。
【請求項１４】
電子機器を制御するコンピューターで実行される操作受付プログラムであって、
前記電子機器は、画像を表示可能な表示手段と、
前記表示手段の表示面中でユーザーにより指示された位置を検出する位置検出手段と、を備え、
予め定められた順番が付された複数の選択画像のうちから順番が連続する所定数の選択画像を選択し、選択された所定数の選択画像をスクロール領域に並べて表示する選択画像表示ステップと、
前記所定数の選択画像のうちに前記複数の選択画像のうちで最初の順番の選択画像が含まれていないことを条件に、前記スクロール領域の両端にそれぞれ含まれる２つの重畳領域の一方にスクロール指示受付画像を表示し、前記所定数の選択画像のうちに前記複数の選択画像のうちで最後の順番の選択画像が含まれていないことを条件に、前記２つの重畳領域の他方にスクロール指示受付画像を表示する指示受付画像表示ステップと、
前記位置検出手段により前記２つの重畳領域いずれかの内部の位置が連続して所定回数以上検出されることに応じて、受付モードを通常モードから連続モードに切り換えるモード切換ステップと、
前記受付モードが前記通常モードの状態で前記２つの重畳領域のいずれかの内部の位置が前記位置検出手段により検出される場合、前記２つの重畳領域のうち前記位置検出手段により検出される位置を含む重畳領域に前記スクロール指示受付画像が表示されていればスクロール操作を検出し、前記スクロール指示受付画像が表示されていなければ前記スクロール領域に表示された前記所定数の選択画像のうち前記位置検出手段により検出される位置を含む選択画像を特定する選択画像指示操作を検出し、前記受付モードが連続モードの状態で前記２つの重畳領域のいずれかの内部の位置が前記位置検出手段により検出される場合、前記２つの重畳領域のうち前記位置検出手段により検出される位置を含む重畳領域に前記スクロール指示受付画像が表示されているか否かに係わらず前記スクロール操作を検出する指示検出ステップと、を前記コンピューターに実行させ、
前記選択画像表示ステップは、前記スクロール操作が検出されることに応じて、前記スクロール操作が検出される時点で選択されている前記所定数の選択画像のいずれよりも順番が前または後の選択画像を含む所定数の選択画像を選択するステップを含む、操作受付プログラム。
【発明の詳細な説明】
【技術分野】
【０００１】
この発明は電子機器、指示受付方法および操作受付プログラムに関し、特に、複数のオブジェクトをスクロール表示可能な電子機器、その電子機器で実行される指示受付方法および操作受付プログラムに関する。
【背景技術】
【０００２】
近年、複合機（ＭＦＰ）等の画像形成装置において、ユーザーインターフェースとしてタッチパネルが用いられる。タッチパネルを用いることにより、画面に表示された画像と組み合わせて種々の操作を受け付けることができる。例えば、複数のオブジェクトの全てを表示するスペースが画面に存在しない場合は、複数のオブジェクトの一部を時間を異ならせて表示する、いわゆるスクロール表示する場合がある。この場合には、スクロールボタンを画面に表示し、タッチパネルでスクロールボタン中の位置が検出されることに応じて、画面に表示するオブジェクトを変更する。スクロールボタンは、スクロール可能な場合に表示され、オブジェクトをスクロールできない場合には表示されない場合があり、さらに、スクロールボタンが表示される場合には、オブジェクトに重畳して表示される場合がある。ユーザーが、スクロールボタンに連続してタッチしている間に、スクロールボタンが表示されなくなる場合があり、この場合には、ユーザーがスクロールボタンをタッチする操作が、オブジェクトに対するタッチと検出されてしまうといった問題がある。
【０００３】
例えば、特開２０１３−３７４９号公報には、表示部、コピーキー、コピー中止キーおよびＣＰＵを備え、コピーキーは、表示部に表示され、入力操作を受け付けると、対応する機能を発揮させ、コピー中止キーは、表示部１０に表示され、入力操作を受け付けると、コピーキーとは異なる機能を発揮させ、コピーキーが有効状態のときは無効状態であり、コピーキーが表示されている状態では表示されず、ＣＰＵ４０は、コピーキーが入力操作を受け付けた後の第１段階で、コピーキーおよびコピー中止キーを無効状態にし、かつ、コピーキーを非表示にしてコピー中止キーを表示し、その後の第２段階で、コピー中止キーを有効状態にする、画像形成装置が記載されている。
【０００４】
しかしながら、特開２０１３−３７４９号公報に記載の画像形成装置は、コピーキーおよびコピー中止キーを無効状態にするので、誤操作を防止することができるが、その間ユーザーがタッチパネルにタッチしても操作が受け付けられないので、ユーザーによる操作に対する応答が遅くなるといった問題がある。
【特許文献１】特開２０１３−３７４９号公報
【発明の概要】
【発明が解決しようとする課題】
【０００５】
この発明は上述した問題点を解決するためになされたもので、この発明の目的の１つは、同じ位置を連続して指示する場合の誤操作を防止した電子機器を提供することである。
【０００６】
この発明の他の目的は、同じ位置を連続して指示する場合の誤操作を防止した操作受付方法を提供することである。
【０００７】
この発明のさらに他の目的は、同じ位置を連続して指示する場合の誤操作を防止した操作受付プログラムを提供することである。
【課題を解決するための手段】
【０００８】
上述した目的を達成するためにこの発明のある局面によれば、電子機器は、画像を表示可能な表示手段と、表示手段の表示面中でユーザーにより指示された位置を検出する位置検出手段と、予め定められた順番が付された複数の選択画像のうちから順番が連続する所定数の選択画像を選択し、選択された所定数の選択画像をスクロール領域に並べて表示する選択画像表示手段と、所定数の選択画像のうちに複数の選択画像のうちで最初の順番の選択画像が含まれていないことを条件に、スクロール領域の両端にそれぞれ含まれる２つの重畳領域の一方にスクロール指示受付画像を表示し、所定数の選択画像のうちに複数の選択画像のうちで最後の順番の選択画像が含まれていないことを条件に、２つの重畳領域の他方にスクロール指示受付画像を表示する指示受付画像表示手段と、位置検出手段により２つの重畳領域いずれかの内部の位置が連続して所定回数以上検出されることに応じて、受付モードを通常モードから連続モードに切り換えるモード切換手段と、受付モードが通常モードの状態で２つの重畳領域のいずれかの内部の位置が位置検出手段により検出される場合、２つの重畳領域のうち位置検出手段により検出される位置を含む重畳領域にスクロール指示受付画像が表示されていればスクロール操作を検出し、スクロール指示受付画像が表示されていなければスクロール領域に表示された所定数の選択画像のうち位置検出手段により検出される位置を含む選択画像を特定する選択画像指示操作を検出し、受付モードが連続モードの状態で２つの重畳領域のいずれかの内部の位置が位置検出手段により検出される場合、２つの重畳領域のうち位置検出手段により検出される位置を含む重畳領域にスクロール指示受付画像が表示されているか否かに係わらずスクロール操作を検出する指示検出手段と、を備え、選択画像表示手段は、スクロール操作が検出されることに応じて、スクロール操作が検出される時点で選択されている所定数の選択画像のいずれよりも順番が前または後の選択画像を含む所定数の選択画像を選択する。
【０００９】
この局面に従えば、所定数の選択画像をスクロール領域に並べて表示し、最初の順番の選択画像が含まれていないことを条件に、スクロール領域の両端にそれぞれ含まれる２つの重畳領域の一方にスクロール指示受付画像を表示し、最後の順番の選択画像が含まれていないことを条件に、２つの重畳領域の他方にスクロール指示受付画像を表示し、２つの重畳領域いずれかの内部の位置が連続して所定回数以上検出されることに応じて、受付モードを通常モードから連続モードに切り換え、通常モードの状態で２つの重畳領域のいずれかの内部の位置が検出される場合、検出される位置を含む重畳領域にスクロール指示受付画像が表示されていればスクロール操作を検出し、スクロール指示受付画像が表示されていなければ検出される位置を含む選択画像を特定する選択画像指示操作を検出し、連続モードの状態で２つの重畳領域のいずれかの内部の位置が検出される場合、スクロール操作を検出する。このため、ユーザーは、スクロール指示受付画像を連続して所定回数以上指示する場合に、スクロール指示画像が表示されなくなった後に誤ってスクロール指示受付画像が表示されていた重畳領域を指示する場合であっても、重畳領域に表示されている選択画像を特定する選択画像指示操作が検出されないので、スクロール指示受付画像を指示する操作を入力することができる。その結果、同じ位置を連続して指示する場合の誤操作を防止した電子機器を提供することができる。
【００１０】
好ましくは、受付モードが連続モードの状態で、所定数の選択画像のうちに複数の選択画像のうちで最初または最後の順番の選択画像が含まれている場合、スクロール指示受付画像をスクロール領域に表示する操作支援手段を、さらに備える。
【００１１】
この局面に従えば、連続モードの状態で、最初または最後の順番の選択画像が含まれている場合、スクロール指示受付画像をスクロール領域に表示するので、スクロール指示受付画像を指示する操作がスクロール操作であることをユーザーに通知することができる。
【００１２】
好ましくは、選択画像表示手段は、複数の選択画像のうちで最初または最後の順番の選択画像を含む所定数の選択画像を選択した後は、その後にスクロール操作が検出されても選択画像を選択しない。
【００１３】
好ましくは、指示検出手段は、受付モードが連続モードの状態で位置検出手段により２つの重畳領域のいずれかの内部の位置が検出される場合、選択画像表示手段により複数の選択画像のうちで最初または最後の順番の選択画像を含む所定数の選択画像が選択されるまでスクロール操作を検出し、選択画像表示手段により複数の選択画像のうちで最初または最後の順番の選択画像を含む所定数の選択画像が選択された後はスクロール操作を検出しない。
【００１４】
好ましくは、モード切換手段は、受付モードを連続モードに切り換えている状態では、連続モードに切り換える前から位置検出手段により連続して検出されている２つの重畳領域いずれかの内部の位置が位置検出手段により検出されなくなると、受付モードを連続モードから通常モードに切り換える。
【００１５】
この局面に従えば、連続モードに切り換えている状態では、連続モードに切り換える前から連続して検出されている重畳領域内の位置が検出されなくなると、通常モードに切り換える。このため、重畳領域内の位置が連続して検出される間のみ受付モードを連続モードに切り換えることができる。
【００１６】
好ましくは、モード切換手段は、位置検出手段により２つの重畳領域いずれかの内部の位置が最後に検出されてから所定時間以上経過すると、受付モードを連続モードから通常モードに切り換える。
【００１７】
この局面に従えば、重畳領域内の位置が最後に検出されてから所定時間以上経過すると、通常モードに切り換えるので、重畳領域を連続して指示する操作の終了を検出することができる。
【００１８】
好ましくは、位置検出手段により位置検出手段により２つの重畳領域いずれかの内部の位置が連続して検出される間隔をユーザーごとの履歴情報として記憶し、記憶された履歴情報に基づいて所定時間を決定するしきい値決定手段を、さらに備える。
【００１９】
この局面に従えば、重畳領域内の位置が連続して検出される間隔をユーザーごとの履歴情報として記憶し、履歴情報に基づいて所定時間を決定するので、重畳領域を連続して指示する操作の間隔を、ユーザーごとに異ならせることができる。
【００２０】
好ましくは、モード切換手段は、受付モードが通常モードの状態で、位置検出手段により２つの重畳領域いずれかの内部の位置が検出されてから第１の時間が経過する前に位置検出手段により２つの重畳領域いずれかの内部の位置が検出されることに応じて、受付モードを連続モードに切り換え、受付モードが連続モードの状態で、位置検出手段により２つの重畳領域いずれかの内部の位置が検出されてから第１の時間より長い第２の時間が経過すると、受付モードを通常モードに切り換える。
【００２１】
この局面に従えば、連続モードから通常モードに切り換える場合の条件となる連続する２つの操作の間隔を、連続モードに切り換える場合の条件となる連続する２つの操作の間隔より長くしたので、連続モードの期間をできるだけ長くすることができる。
【００２２】
好ましくは、位置検出手段により位置検出手段により２つの重畳領域いずれかの内部の位置が連続して検出される間隔をユーザーごとの履歴情報として記憶し、記憶された履歴情報に基づいて第１の時間を決定するしきい値決定手段を、さらに備える。
【００２３】
この局面に従えば、重畳領域内の位置が連続して検出される間隔をユーザーごとの履歴情報として記憶し、履歴情報に基づいて第１の時間を決定するので、指示受付画像または拡張領域を連続して指示する操作の間隔を、ユーザーごとに異ならせることができる。
【００２４】
好ましくは、受付モードが連続モードの状態で、選択画像表示手段により複数の選択画像のうちから順番が最初または最後の選択画像が選択されることに応じて、順番が最初または最後の選択画像が選択されたことを通知する通知手段を、さらに備える。
【００２５】
この局面に従えば、連続モードの状態で、順番が最初または最後の選択画像が選択されることに応じて、順番が最初または最後の選択画像が選択されたことが通知される。このため、ユーザーにスクロール操作を入力することができないことを通知することができる。
【００２６】
好ましくは、受付モードが連続モードの状態で、選択画像表示手段により複数の選択画像のうちから順番が最初または最後の選択画像が選択されるまでに、指示検出手段が前記スクロール操作を検出可能な回数を表示する回数表示手段を、さらに備える。
【００２７】
この局面に従えば、順番が最初または最後の選択画像が選択されるまでに、スクロール操作を検出可能な回数が表示されるので、ユーザーにスクロール操作を可能な回数を通知することができる。
【００２８】
好ましくは、複数の選択画像は、サイズが同じであり、スクロール指示受付画像のサイズは、複数の選択画像のサイズより小さい。
【００２９】
この発明の他の局面によれば、操作受付方法は、電子機器で実行される操作受付方法であって、電子機器は、画像を表示可能な表示手段と、表示手段の表示面中でユーザーにより指示された位置を検出する位置検出手段と、を備え、予め定められた順番が付された複数の選択画像のうちから順番が連続する所定数の選択画像を選択し、選択された所定数の選択画像をスクロール領域に並べて表示する選択画像表示ステップと、所定数の選択画像のうちに複数の選択画像のうちで最初の順番の選択画像が含まれていないことを条件に、スクロール領域の両端にそれぞれ含まれる２つの重畳領域の一方にスクロール指示受付画像を表示し、所定数の選択画像のうちに複数の選択画像のうちで最後の順番の選択画像が含まれていないことを条件に、２つの重畳領域の他方にスクロール指示受付画像を表示する指示受付画像表示ステップと、位置検出手段により２つの重畳領域いずれかの内部の位置が連続して所定回数以上検出されることに応じて、受付モードを通常モードから連続モードに切り換えるモード切換ステップと、受付モードが通常モードの状態で２つの重畳領域のいずれかの内部の位置が位置検出手段により検出される場合、２つの重畳領域のうち位置検出手段により検出される位置を含む重畳領域にスクロール指示受付画像が表示されていればスクロール操作を検出し、スクロール指示受付画像が表示されていなければスクロール領域に表示された所定数の選択画像のうち位置検出手段により検出される位置を含む選択画像を特定する選択画像指示操作を検出し、受付モードが連続モードの状態で２つの重畳領域のいずれかの内部の位置が位置検出手段により検出される場合、２つの重畳領域のうち位置検出手段により検出される位置を含む重畳領域にスクロール指示受付画像が表示されているか否かに係わらずスクロール操作を検出する指示検出ステップと、を電子機器に実行させ、選択画像表示ステップは、スクロール操作が検出されることに応じて、スクロール操作が検出される時点で選択されている所定数の選択画像のいずれよりも順番が前または後の選択画像を含む所定数の選択画像を選択するステップを含む。
【００３０】
この局面に従えば、同じ位置を連続して指示する場合の誤操作を防止した操作受付方法を提供することができる。
【００３１】
この発明のさらに他の局面によれば、操作受付プログラムは、電子機器を制御するコンピューターで実行される操作受付プログラムであって、電子機器は、画像を表示可能な表示手段と、表示手段の表示面中でユーザーにより指示された位置を検出する位置検出手段と、を備え、予め定められた順番が付された複数の選択画像のうちから順番が連続する所定数の選択画像を選択し、選択された所定数の選択画像をスクロール領域に並べて表示する選択画像表示ステップと、所定数の選択画像のうちに複数の選択画像のうちで最初の順番の選択画像が含まれていないことを条件に、スクロール領域の両端にそれぞれ含まれる２つの重畳領域の一方にスクロール指示受付画像を表示し、所定数の選択画像のうちに複数の選択画像のうちで最後の順番の選択画像が含まれていないことを条件に、２つの重畳領域の他方にスクロール指示受付画像を表示する指示受付画像表示ステップと、位置検出手段により２つの重畳領域いずれかの内部の位置が連続して所定回数以上検出されることに応じて、受付モードを通常モードから連続モードに切り換えるモード切換ステップと、受付モードが通常モードの状態で２つの重畳領域のいずれかの内部の位置が位置検出手段により検出される場合、２つの重畳領域のうち位置検出手段により検出される位置を含む重畳領域にスクロール指示受付画像が表示されていればスクロール操作を検出し、スクロール指示受付画像が表示されていなければスクロール領域に表示された所定数の選択画像のうち位置検出手段により検出される位置を含む選択画像を特定する選択画像指示操作を検出し、受付モードが連続モードの状態で２つの重畳領域のいずれかの内部の位置が位置検出手段により検出される場合、２つの重畳領域のうち位置検出手段により検出される位置を含む重畳領域にスクロール指示受付画像が表示されているか否かに係わらずスクロール操作を検出する指示検出ステップと、をコンピューターに実行させ、選択画像表示ステップは、スクロール操作が検出されることに応じて、スクロール操作が検出される時点で選択されている所定数の選択画像のいずれよりも順番が前または後の選択画像を含む所定数の選択画像を選択するステップを含む。
【００３２】
この局面に従えば、同じ位置を連続して指示する場合の誤操作を防止した操作受付プログラムを提供することができる。
【図面の簡単な説明】
【００３３】
【図１】本発明の実施の形態の１つにおけるＭＦＰの外観を示す斜視図である。
【図２】本発明の実施の形態の１つにおけるＭＦＰのハードウェア構成の概要を示すブロック図である。
【図３】操作パネルの平面図である。
【図４】第１の実施の形態におけるＭＦＰが備えるＣＰＵが有する機能の一例を示すブロック図である。
【図５】操作画面の一例を示す第１の図である。
【図６】受付モードが連続モード時の操作画面の一例を示す図である。
【図７】受付モードが通常モード時の操作画面の一例を示す図である。
【図８】指示受付処理の流れの一例を示すフローチャートである。
【図９】受付モード切換処理の流れの一例を示すフローチャートである。
【図１０】操作検出処理の流れの一例を示すフローチャートである。
【図１１】スクロール領域表示処理の流れの一例を示すフローチャートである。
【発明を実施するための形態】
【００３４】
以下、本発明の実施の形態を図面を参照して説明する。以下の説明では同一の部品には同一の符号を付してある。それらの名称および機能も同じである。したがって、それらについての詳細な説明は繰り返さない。
【００３５】
図１は、本発明の実施の形態の１つにおけるＭＦＰの外観を示す斜視図である。図２は、ＭＦＰのハードウェア構成の概要を示すブロック図である。図１および図２を参照して、電子機器として機能するＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、ユーザーインターフェースとしての操作パネル１６０とを含む。
【００３６】
メイン回路１１０は、ＭＦＰ１００の全体を制御するＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、外部記憶装置１１７と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００３７】
自動原稿搬送装置１２０は、原稿給紙トレイ上にセットされた複数枚の原稿を１枚ずつ自動的に原稿読取部１３０のプラテンガラス上に設定された所定の原稿読み取り位置まで搬送し、原稿読取部１３０により原稿画像が読み取られた原稿を原稿排紙トレイ上に排出する。原稿読取部１３０は、原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である画像データに変換して、画像形成部１４０に出力する。給紙部１５０は、給紙トレイに収納された用紙を画像形成部１４０に搬送する。
【００３８】
画像形成部１４０は、周知の電子写真方式により画像を形成するものであって、原稿読取部１３０から入力される画像データにシェーディング補正などの各種のデータ処理を施した、データ処理後の画像データまたは、外部から受信された画像データに基づいて、給紙部１５０により搬送される用紙に画像を形成する。
【００３９】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶するとともに、画像形成部１４０でプリント可能なプリントデータに変換して、画像形成部１４０に出力する。これにより、画像形成部１４０は、ファクシミリ部１１６により受信されたファクシミリデータを用紙に画像を形成する。また、ファクシミリ部１１６は、ＨＤＤ１１５に記憶されたデータをファクシミリデータに変換して、ＰＳＴＮに接続されたファクシミリ装置に送信する。
【００４０】
通信Ｉ／Ｆ部１１２は、ネットワークにＭＦＰ１００を接続するためのインターフェースである。通信Ｉ／Ｆ部１１２は、ＴＣＰ（Ｔｒａｎｓｍｉｓｓｉｏｎ  Ｃｏｎｔｒｏｌ  Ｐｒｏｔｏｃｏｌ）またはＦＴＰ（Ｆｉｌｅ  Ｔｒａｎｓｆｅｒ  Ｐｒｏｔｏｃｏｌ）等の通信プロトコルで、ネットワークに接続された他のコンピューターまたはデータ処理装置と通信する。なお、通信Ｉ／Ｆ部１１２が接続されるネットワークは、ローカルエリアネットワーク（ＬＡＮ）であり、接続形態は有線または無線を問わない。またネットワークは、ＬＡＮに限らず、ワイドエリアネットワーク（ＷＡＮ）、公衆交換電話網（ＰＳＴＮ）、インターネット等であってもよい。
【００４１】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取画像を一時的に記憶する。
【００４２】
操作パネル１６０は、液晶表示装置（ＬＣＤ）１６５と、ＬＣＤ１６５の表示を制御する表示制御部１６１と、ＶＲＡＭ（Ｖｉｄｅｏ  ＲＡＭ）１６３と、タッチパネル１６９と、ハードキー部１７０と、タッチパネル１６９およびハードキー部１７０を制御する入力制御部１６７と、を含む。ＬＣＤ１６５およびハードキー部１７０は、ＭＦＰ１００の上面に設けられる。なお、ＬＣＤ１６５に代えて、画像を表示する装置であれば、例えば、有機ＥＬ（ｅｌｅｃｔｒｏｌｕｍｉｎｅｓｃｅｎｃｅ）ディスプレイを用いることができる。
【００４３】
表示制御部１６１は、ＣＰＵ１１１、ＶＲＡＭ１６３およびＬＣＤ１６５と接続される。ＶＲＡＭ１６３は、表示制御部１６１の作業領域として用いられ、ＬＣＤ１６５に表示する画像を一時記憶する。表示制御部１６１は、ＣＰＵ１１１により制御されて、ＬＣＤ１６５を制御し、ＬＣＤ１６５にＶＲＡＭ１６３に記憶された画像を表示させる。表示制御部１６１は、後述する操作画面をＬＣＤ１６５に表示させる。
【００４４】
ハードキー部１７０は、複数のハードキーを含む。ハードキーは、入力制御部１６７に接続され、ユーザーにより押下されている間はＯＮ信号を入力制御部１６７に出力し、ユーザーにより押下されていない間はＯＦＦ信号を入力制御部１６７に出力する。
【００４５】
タッチパネル１６９は、ＬＣＤ１６５の上面または下面に設けられ、ユーザーにより押下された位置の座標を入力制御部１６７に出力する。タッチパネル１６９は、ユーザーが指またはスタイラスペンで指示した位置を検出し、検出した位置の座標を入力制御部１６７に出力する。タッチパネル１６９は、ＬＣＤ１６５の表示面と同じまたはそれ以上のサイズであるのが好ましい。タッチパネル１６９は、ＬＣＤ１６５に重畳して設けられるので、タッチパネル１６９は、ユーザーがＬＣＤ１６５の表示面を指示すれば、ＬＣＤ１６５の表示面中でユーザーが指示した位置の座標を入力制御部１６７に出力する。タッチパネルは、例えば、抵抗膜方式、表面弾性波方式、赤外線方式、電磁誘導方式、静電容量方式を用いることができ、その方式は限定されない。
【００４６】
入力制御部１６７は、ハードキー部１７０のうちでＯＮ信号を出力するハードキーが存在する場合、ＯＮ信号を出力するハードキーの識別情報をＣＰＵ１１１に出力する。また、入力制御部１６７は、タッチパネル１６９がユーザーにより指示された位置を検出する場合、タッチパネル１６９から出力される座標をＣＰＵ１１１に出力する。
【００４７】
外部記憶装置１１７は、ＣＰＵ１１１により制御され、ＣＤ−ＲＯＭ（Ｃｏｍｐａｃｔ  Ｄｉｓｋ  Ｒｅａｄ  Ｏｎｌｙ  Ｍｅｍｏｒｙ）１１８、または半導体メモリが装着される。本実施の形態においては、ＣＰＵ１１１は、ＲＯＭ１１３に記憶されたプログラムを実行する例を説明するが、ＣＰＵ１１１は、外部記憶装置１１７を制御して、ＣＤ−ＲＯＭ１１８からＣＰＵ１１１が実行するためのプログラムを読出し、読み出したプログラムをＲＡＭ１０２に記憶し、実行するようにしてもよい。
【００４８】
なお、ＣＰＵ１１１が実行するためのプログラムを記憶する記録媒体としては、ＣＤ−ＲＯＭ１１８に限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリ等の媒体でもよい。さらに、ＣＰＵ１１１がネットワークに接続されたコンピューターからプログラムをダウンロードしてＨＤＤ１１５に記憶する、または、ネットワークに接続されたコンピューターがプログラムをＨＤＤ１１５に書込みするようにして、ＨＤＤ１１５に記憶されたプログラムをＲＡＭ１１４にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００４９】
図３は、操作パネル１６０の平面図である。図３を参照して、操作パネル１６０は、ＬＣＤ１６５と、ＬＣＤ１６５に重畳して設けられたタッチパネル１６９と、ＬＣＤ１６５の右側および下方に、スタートキー１７１、ＢＯＸキー１７３、ＣＯＰＹキー１７５およびＦＡＸキー１７７を含む複数のハードキーが配置されたハードキー部１７０と、を含む。
【００５０】
図４は、本実施の形態におけるＭＦＰが備えるＣＰＵが有する機能の一例を示すブロック図である。図４に示す機能は、ＭＦＰ１００が備えるＣＰＵ１１１が、ＲＯＭ１１３、ＨＤＤ１１５またはＣＤ−ＲＯＭ１１８に記憶された操作受付プログラムを実行することにより、ＣＰＵ１１１により実現される機能である。図４を参照して、ＣＰＵ１１１は、モード切換部５１と、指示検出部５３と、しきい値決定部５５と、操作画面表示部５７と、を含む。
【００５１】
操作画面表示部５７は、操作画面を表示制御部１６１に出力し、表示制御部１６１に設定画面の画像をＬＣＤ１６５に表示させる。ここでは、操作画面表示部５７がＬＣＤ１６５に表示する操作画面は、スクロール領域を含む。スクロール領域は、操作画面に関連付けられた複数の選択画像の一部の組を変更可能に表示する領域である。
【００５２】
操作画面表示部５７は、指示受付画像表示部６１と、選択画像表示部６３と、状態切換部６５と、操作支援部６７と、回数表示部６９と、通知部７１と、を含む。選択画像表示部６３は、操作画面に関連付けられた複数の選択画像をスクロール領域に並べて表示する。複数の選択画像は、予め定められた順番が付されており、サイズがすべて同じである。スクロール領域のサイズは操作画面により定まるので、複数の選択画像をスクロール領域に配置可能な数は、スクロール領域のサイズにより定まる。ここでは、スクロール領域に配置可能な選択画像の数を配置可能数といい、定数Ｎで示す。ただし、Ｎは１より大きい整数である。選択画像表示部６３は、操作画面に対応する複数の選択画像のうちから順番が連続する配置可能数Ｎの選択画像を選択し、選択された配置可能数Ｎの選択画像をスクロール領域に並べて表示する。選択画像表示部６３は、配置可能数の選択画像をスクロール領域に表示する場合、配置可能数Ｎの選択画像それぞれについて、選択画像を識別するための選択画像識別情報と、その選択画像のＬＣＤ１６５の表示面中の位置とを、指示検出部５３に出力する。また、選択画像表示部６３は、配置可能数Ｎの選択画像をスクロール領域に表示する場合、配置可能数Ｎの選択画像それぞれについて、選択画像を識別するための選択画像識別情報を、操作支援部６７および回数表示部６９に出力する。
【００５３】
選択画像表示部６３は、操作画面が表示された段階では、操作画面表示部５７は、第１番目から第Ｎ番目までの選択画像を選択し、スクロール領域に並べて配置する。選択画像表示部６３は、後述する指示検出部５３からスクロール操作が入力されることに応じて、スクロール操作が検出される時点で選択されている配置可能数の選択画像のいずれかよりも順番が前または後の選択画像を含む配置可能数Ｎの選択画像を選択し、スクロール領域に並べて配置する。順番を前または後にずらす選択画像の数は、１〜Ｎまでの数から任意に定めることができる。ただし、Ｎは１より大きい整数である。ここでは、選択画像の数をＭ個とし、順番を前または後にずらす選択画像の数を、「１」とする。ただし、ＭはＮより大きい整数である。
【００５４】
スクロール操作は、送り指示と、戻り指示と、を含む。具体的には、選択画像表示部６３は、第１番目から第Ｎ番目までの配置可能数Ｎ個の選択画像を選択し、表示している段階で、指示検出部５３から送り指示を示すスクロール操作が入力されることに応じて、第１番目から第Ｎ番目の選択画像のうち最後の第Ｎ番目の選択画像よりも順番が後の第（Ｎ＋１）番目の選択画像を含むＮ個の選択画像、例えば、第２番目〜第（Ｎ＋１）番目の選択画像を選択し、スクロール領域に並べて配置する。また、選択画像表示部６３は、第２番目から第（Ｎ＋１）番目までの選択画像を選択し、表示している段階で、指示検出部５３から戻り指示を示すスクロール操作が入力されることに応じて、第２番目から第（Ｎ＋１）番目の選択画像のうち最初の第２番目の選択画像よりも順番が前の第１番目の選択画像を含むＮ個の選択画像、例えば、第１番目〜第Ｎ番目の選択画像を選択し、スクロール領域に並べて配置する。
【００５５】
選択画像表示部６３は、戻り指示を示すスクロール操作が入力される場合、その時点で順番が最初の選択画像をスクロール領域に表示している場合には、配置可能数Ｎの選択画像を選択しない。また、選択画像表示部６３は、送り指示を示すスクロール操作が入力される場合、その時点で順番が最後の選択画像をスクロール領域に表示している場合には、配置可能数Ｎの選択画像を選択しない。
【００５６】
指示受付画像表示部６１は、スクロール領域の両端部それぞれに、スクロール操作を受け付けるためのスクロール指示受付画像を表示する。以下、スクロール領域中でスクロール指示受付画像が表示される領域を重畳領域という。指示受付画像表示部６１は、スクロール指示受付画像をＬＣＤ１６５に表示する場合、そのスクロール指示受付画像のＬＣＤ１６５の表示面中の位置を、モード切換部５１および指示検出部５３に出力する。
【００５７】
スクロール領域には、選択画像表示部６３によって配置可能数Ｎの選択画像が表示されている。このため、スクロール領域に表示されている配置可能数Ｎの選択画像のうちスクロール領域の両端部にそれぞれ表示された２つの選択画像は、それぞれの少なくとも一部が２つの重畳領域のいずれかと重なる場合がある。指示受付画像表示部６１は、スクロール領域の２つの重畳領域それぞれにスクロール指示受付画像を表示するが、その重畳領域に選択画像の一部が表示されている場合には、その選択画像に優先して表示する。
【００５８】
指示受付画像表示部６１は、スクロール領域に表示された配置可能数Ｎの選択画像が最初の順番の選択画像を含む場合は、重畳領域に戻り指示を示すスクロール指示受付画像を表示しない。選択された配置可能数Ｎの選択画像の順番を前にずらすことができないため、戻り指示を示すスクロール操作を受け付ける必要がないからである。同様に、指示受付画像表示部６１は、スクロール領域に表示された配置可能数の選択画像が最後の順番の選択画像を含む場合は、重畳領域に送り指示を示すスクロール指示受付画像を表示しない。選択された配置可能数の選択画像の順番を後にずらすことができないため、送り指示を示すスクロール操作を受け付ける必要がないからである。
【００５９】
スクロール領域に表示された配置可能数Ｎの選択画像が、最初の順番の選択画像を含む場合、最初の順番の選択画像はスクロール領域の端部に表示されるので、最初の順番の選択画像が重畳領域と重なる場合がある。スクロール領域に表示された配置可能数Ｎの選択画像が、最後の順番の選択画像を含む場合、最後の順番の選択画像はスクロール領域の端部に表示されるので、最初の順番の選択画像が重畳領域と重なる場合がある。
【００６０】
ここで、操作画面にＭ個の選択画像が関連付けられ、操作画面に含まれるスクロール領域の配置可能数をＮとする場合を例に説明する。ただし、Ｍ、Ｎは、正の整数であり、ＭはＮ以上である。具体的には、指示受付画像表示部６１は、選択画像表示部６３により第１番目から第Ｎ番目までの配置可能数Ｎ個の選択画像が表示されている段階では、戻り指示を示すスクロール指示受付画像を表示することなく、送り指示を示すスクロール指示受付画像を表示する。第Ｎ番目の選択画像が重畳領域と重なる場合は、送り指示を示すスクロール指示受付画像は、第Ｎ番目の選択画像と重なる重畳領域で重畳して表示される。指示受付画像表示部６１は、選択画像表示部６３により第Ｊ番目から第（Ｊ＋Ｎ−１）番目までの配置可能数Ｎ個の選択画像がスクロール領域に表示されている段階では、戻り指示を示すスクロール指示受付画像を表示するとともに、送り指示を示すスクロール指示受付画像を表示する。ただし、Ｊは２以上（Ｍ−Ｎ）以下の整数である。第Ｊ番目の選択画像が重畳領域と重なる場合は、送り指示を示すスクロール指示受付画像は、第Ｊ番目の選択画像と重なる重畳領域で重畳して表示される。第（Ｊ＋Ｎ−１）番目の選択画像が重畳領域と重なる場合は、送り指示を示すスクロール指示受付画像は、第（Ｊ＋Ｎ−１）番目の選択画像と重なる重畳領域で重畳して表示される。指示受付画像表示部６１は、選択画像表示部６３により第（Ｍ−Ｎ＋１）番目から第Ｍ番目までの配置可能数Ｎ個の選択画像が表示されている段階では、戻り指示を示すスクロール指示受付画像を表示するが、送り指示を示すスクロール指示受付画像を表示しない。第（Ｍ−Ｎ＋１）番目の選択画像が重畳領域と重なる場合は、戻り指示を示すスクロール指示受付画像は、第（Ｍ−Ｎ＋１）番目の選択画像と重なる重畳領域で重畳して表示される。
【００６１】
回数表示部６９は、選択画像表示部６３から配置可能数Ｎの選択画像それぞれの選択画像識別情報が入力され、スクロール操作を受付可能な回数を、操作画面中で表示する。回数表示部６９は、配置可能数Ｎの選択画像それぞれの選択画像識別情報に基づいて、最先の選択画像の順番と、最後の選択画像の順番とから、送り指示を示すスクロール操作を受付可能な回数と、戻り指示を示すスクロール操作を受付可能な回数と、を決定する。回数表示部６９は、送り指示を示すスクロール操作を受付可能な回数を、送り指示を示すスクロール操作が割り当てられたスクロール指示受付画像に対応する重畳領域の近傍に表示し、戻り指示を示すスクロール操作を受付可能な回数を、戻り指示を示すスクロール操作が割り当てられたスクロール指示受付画像に対応する重畳領域の近傍に表示する。回数表示部６９は、送り指示を示すスクロール操作を受付可能な回数として「０」を決定する場合、通知部７１に送り指示に対応する通知指示を出力し、戻り指示を示すスクロール操作を受付可能な回数として「０」を決定する場合、通知部７１に戻り指示に対応する通知指示を出力する。
【００６２】
通知部７１は、回数表示部６９から通知指示が入力されることに応じて、スクロール操作を受付できないことをユーザーに通知する。具体的には、回数表示部６９から戻り指示に対応する通知指示が入力される場合、戻り指示に対応するスクロール操作を受付できないことを示す画像を、操作画面に表示する。例えば、戻り指示のすくリール指示受付画像に対応する重畳領域の近傍に表示する。回数表示部６９から送り指示に対応する通知指示が入力される場合、送り指示に対応するスクロール操作を受付できないことを示す受付不可通知画像を、操作画面に表示する。例えば、送り指示を示すスクロール受付画像に対応する重畳領域の近傍に表示する。
【００６３】
ここで、操作画面について説明する。ここでは、操作画面に、順番が第１番目から第１０番目の１０個の選択画像が割り当てられている場合を例に説明する。図５は、操作画面の一例を示す第１の図である。図５を参照して、操作画面５００は、スクロール領域５１０を含む。スクロール領域５１０は、５つの選択画像を表示可能なサイズである。操作画面５００は、スクロール領域５１０に順番が第４番目から第８番目の選択画像５２４〜５２８が配置される。なお、図５では、選択画像５２４〜５２８の順番を示すために、それぞれの順番を示す数字を付している。
【００６４】
スクロール領域５１０は、両端部の２つの重畳領域５４１Ａ，５４３Ａを含む。重畳領域５４１Ａには戻り指示を示すスクロール指示受付画像５４１が配置され、重畳領域５４３Ａおよび送り指示を示すスクロール指示受付画像５４３が配置される。順番が最先の第４番目の選択画像５２４は重畳領域５４１Ａと重なり、第４番目の選択画像５２４の重畳領域５４１Ａと重なる部分に、戻り指示を示すスクロール指示受付画像５４１が第４番目の選択画像５２４に重畳して表示される。順番が最後の第８番目の選択画像５２４は重畳領域５４３Ａと重ならないため、順番が最後の第８番目の選択画像５２４の右側に戻り指示を示すスクロール指示受付画像５４１が配置される。
【００６５】
また、操作画面５００は、戻り指示を示すスクロール指示受付画像５４１に対応する重畳領域５４１Ａの下方および送り指示を示すスクロール指示受付画像５４３に対応する重畳領域５４３Ａの下方それぞれに、受付可能回数表示画像５５１，５５３を含む。受付可能回数表示画像５５１は、戻り指示を示すスクロール操作を受け付け可能な回数「３」が表され、ユーザーに戻り指示を示すスクロール操作を入力可能な回数が「３」であることを通知する。受付可能回数表示画像５５３は、送り指示を示すスクロール操作を受け付け可能な回数「２」が表され、ユーザーに戻り指示を示すスクロール操作を入力可能な回数が「２」であることを通知する。
【００６６】
図４に戻って、モード切換部５１は、タッチパネル１６９が検出するＬＣＤ１６５の表示面中の位置に基づいて受付モードを通常モードと連続モードとのいずれかに切り換え、受付モードを指示検出部５３に出力する。タッチパネル１６９は、ＬＣＤ１６５の表示面をユーザーが指示すると、ユーザーにより指示された位置を検出する。
【００６７】
モード切換部５１は、操作画面が表示された段階で、受付モードを通常モードに切り換える。また、モード切換部５１は、操作画面が表示された後、タッチパネル１６９が２つの重畳領域５４１Ａ，５４３Ａのいずれかの内部の位置を連続して所定回数以上検出すると、受付モードを通常モードから連続モードに切り換える。モード切換部５１は、受付モードを連続モードに切り換えた後であって、タッチパネル１６９が重畳領域５４１Ａ，５４３Ａ内の位置が指示されたことを連続して検出しなくなると、受付モードを連続モードから通常モードに切り換える。
【００６８】
モード切換部５１は、しきい値決定部５５からしきい値が入力される。モード切換部５１は、タッチパネル１６９が２つの重畳領域５４１Ａ，５４３Ａのいずれか、例えば、重畳領域５４１Ａの内部の位置を検出してからの経過時間がしきい値になる前に、タッチパネル１６９がその重畳領域５４１Ａ内の位置を検出すると、重畳領域５４１Ａ内の位置が連続して検出されたと判断し、受付モードを連続モードに切り換える。モード切換部５１は、受付モードを連続モードに切り換えた後は、タッチパネル１６９が、重畳領域５４１Ａ内の位置を最後に検出してから重畳領域５４１Ａ内の位置を検出することなく経過する時間がしきい値以上になると、受付モードを通常モードに切り換える。また、モード切換部５１は、タッチパネル１６９が重畳領域５４３Ａの内部の位置を検出してからの経過時間がしきい値になる前に、タッチパネル１６９がその重畳領域５４３Ａ内の位置を検出すると、重畳領域５４３Ａ内の位置が連続して検出されたと判断し、受付モードを連続モードに切り換える。モード切換部５１は、受付モードを連続モードに切り換えた後は、タッチパネル１６９が、重畳領域５４３Ａ内の位置を最後に検出してから重畳領域５４３Ａ内の位置を検出することなく経過する時間がしきい値以上になると、受付モードを通常モードに切り換える。
【００６９】
モード切換部５１は、受付モードを指示検出部５３および操作支援部６７に出力する。また、モード切換部５１は、しきい値決定部５５から入力されるしきい値を操作支援部６７に出力する。
【００７０】
しきい値決定部５５は、しきい値を決定する。ＭＦＰ１００を操作するユーザーごとに、重畳領域５４１Ａ，５４３Ａ内の位置を連続して指示する間隔を記憶しておき、しきい値決定部５５は、記憶された間隔に基づいて、しきい値を決定する。例えば、記憶された間隔の最大値を、しきい値に決定する。なお、しきい値を決定する方法は、最大値の他に、平均値を用いりようにしてもよいし、中間値を用いるようにしてもよいし、最小値を用いるようにしてもよい。また、しきい値決定部５５は、予め定められた時間としてもよい。たとえば、スクロール領域に表示される配置可能数Ｎの選択画像をユーザーが確認するために必要な時間とすればよい。
【００７１】
指示検出部５３は、指示受付画像表示部６１からスクロール指示受付画像のＬＣＤ１６５の表示面中の位置が入力され、選択画像表示部６３から配置可能数Ｎの選択画像それぞれの選択画像識別情報とＬＣＤ１６５の表示面中の位置とが入力され、モード切換部５１から受付モードが入力される。指示検出部５３は、受付モードが通常モードおよび連続モードのいずれの場合であっても、タッチパネル１６９によりスクロール領域の内部であって２つの重畳領域５４１Ａ，５４３Ａ以外の位置が検出される場合、選択画像指示操作を検出する。選択画像指示操作は、選択画像表示部６３によってスクロール領域に表示された配置可能数Ｎの選択画像のうちタッチパネル１６９によって検出された位置を含む選択画像を特定する操作である。指示検出部５３は、受付モードが通常モードの場合、タッチパネル１６９により２つの重畳領域５４１Ａ，５４３Ａのいずれかの内部の位置が検出される場合、例えば、重畳領域５４１Ａの内部の位置が検出される場合、重畳領域５４１Ａにスクロール指示受付画像５４１が表示されていればスクロール操作を検出し、重畳領域５４１Ａにスクロール指示受付画像５４１が表示されていなければ選択画像指示操作を検出する。また、指示検出部５３は、受付モードが連続モードの場合、タッチパネル１６９により２つの重畳領域５４１Ａ，５４３Ａのいずれかの内部の位置が検出される場合、例えば、重畳領域５４１Ａ内の位置が検出される場合は重畳領域５４１Ａにスクロール指示受付画像が表示されているか否かに係らずスクロール操作を検出し、重畳領域５４３Ａ内の位置が検出される場合は重畳領域５４３Ａにスクロール指示受付画像が表示されているか否かに係らずスクロール操作を検出する。
【００７２】
指示検出部５３は、選択画像指示操作を検出する場合、状態切換部６５に選択指示を出力する。選択指示は、選択画像指示操作によって特定される選択画像を識別するための選択画像識別情報を含む。指示検出部５３は、スクロール操作を検出する場合、スクロール操作を選択画像表示部６３に出力する。スクロール操作は、送り指示と戻り指示とを含む。指示検出部５３は、送り指示に対応するスクロール指示受付画像に対応する重畳領域５４３Ａ内の位置が検出される場合は、送り指示を示すスクロール操作を選択画像表示部６３に出力し、戻り指示に対応するスクロール指示受付画像に対応する重畳領域５４１Ａ内の位置が検出される場合は、戻り指示を示すスクロール操作を選択画像表示部６３に出力する。
【００７３】
具体的には、第１番目から第Ｎ番目までの配置可能数Ｎ個の選択画像が表示されている段階では、指示受付画像表示部６１によってスクロール領域５１０の重畳領域５４１Ａにスクロール指示受付画像５４１は表示されず、スクロール領域５１０の重畳領域５４３Ａにスクロール指示受付画像５４３が表示される。第１番目の選択画像は重畳領域５４１Ａと重なる。また、第Ｎ番目の選択画像は重畳領域５４３Ａと重なる場合がある。指示検出部５３は、受付モードが通常モードの場合、タッチパネル１６９により重畳領域５４１Ａ内の位置が検出される場合、第１番目の選択画像を特定する選択画像指示操作を検出するが、スクロール指示受付画像５４１が表示されていないのでスクロール操作を検出しない。また、指示検出部５３は、受付モードが連続モードの場合、タッチパネル１６９により重畳領域５４１Ａ内の位置が検出される場合、第１番目の選択画像を特定する選択画像指示操作を検出することなく、スクロール操作を検出する。
【００７４】
同様に、第（Ｍ−Ｎ＋１）番目から第Ｍ番目までの配置可能数Ｎ個の選択画像が表示されている段階では、指示受付画像表示部６１によってスクロール領域５１０の重畳領域５４１Ａにスクロール指示受付画像５４１が表示され、スクロール領域５１０の重畳領域５４３Ａにスクロール指示受付画像５４３が表示されない。第（Ｍ−Ｎ＋１）番目の選択画像は重畳領域５４１Ａと重なる場合があり、第Ｍ番目の選択画像は重畳領域５４３Ａと重なる。指示検出部５３は、受付モードが通常モードの場合、タッチパネル１６９により重畳領域５４３Ａ内の位置が検出される場合、第Ｍ番目の選択画像を特定する選択画像指示操作を検出するが、スクロール操作を検出しない。また、指示検出部５３は、受付モードが連続モードの場合、タッチパネル１６９により重畳領域５４３Ａ内の位置が検出される場合、第Ｍ番目の選択画像を特定する選択画像指示操作を検出することなく、スクロール操作を検出する。
【００７５】
操作支援部６７は、選択画像表示部６３から選択画像を識別するための選択画像識別情報が入力され、モード切換部５１から受付モードが入力される。操作支援部６７は、受付モードが連続モードに切り換えられている間に、選択画像表示部６３から入力される選択画像識別情報で特定される選択画像のうちに順番が最初または最後の選択画像が含まれる場合、重畳領域５４１Ａ，５４３にスクロール指示受付画像を表示する。具体的には、操作支援部６７は、選択画像表示部６３によって表示された配置可能数Ｎの選択画像のうちに順番が最初の選択画像が含まれる場合は重畳領域５４１Ａにスクロール指示受付画像を表示し、選択画像表示部６３によって表示された配置可能数Ｎの選択画像のうちに順番が最後の選択画像が含まれる場合は重畳領域５４３Ａにスクロール指示受付画像を表示する。操作支援部６７は、スクロール指示受付画像をＬＣＤ１６５に表示する場合、そのスクロール指示受付画像のＬＣＤ１６５の表示面中の位置を、モード切換部５１および指示検出部５３に出力する。
【００７６】
また、操作支援部６７は、モード切換部５１から入力されるしきい値から所定時間を決定する。所定時間は、しきい値よりも大きな値である。操作支援部６７は、受付モードが通常モードに切り換えられている間に、選択画像表示部６３から入力される選択画像識別情報で特定される選択画像の順番が最初または最後の場合、例えば、順番が最初の場合、重畳領域５４１Ａにスクロール指示受付画像を、所定時間表示し、スクロール指示受付画像を表示してから所定時間が経過すると、スクロール指示受付画像の表示を終了する。操作支援部６７は、受付モードが通常モードに切り換えられている間に、選択画像表示部６３から入力される選択画像識別情報で特定される選択画像の順番が最後の場合、重畳領域５４３Ａにスクロール指示受付画像を、所定時間表示し、スクロール指示受付画像を表示してから所定時間が経過すると、スクロール指示受付画像の表示を終了する。
【００７７】
例えば、スクロール領域５１０に第２番目の選択画像が表示されている状態で、戻り指示を示すスクロール操作が検出されると、第１番目の選択画像がスクロール領域５１０に表示されるので、操作支援部６７は、重畳領域５４１Ａにスクロール指示受付画像５４１を所定時間表示する。スクロール指示受付画像５４１が表示されてからしきい値で定まる時間が経過する前に重畳領域５４１Ａが指示されると、モード切換部５１によって受付モードが連続モードに切り換えられる。この場合、操作支援部６７は、スクロール指示受付画像５４１を重畳領域５４１Ａに表示する。このため、ユーザーに、重畳領域５４１Ａを指示する操作を、スクロール操作として通知することができる。
【００７８】
また、操作支援部６７は、受付モードが通常モードに切り換えられている間に、選択画像表示部６３から入力される選択画像識別情報で特定される選択画像の順番が最初または最後の場合、例えば、順番が最初の場合、タッチパネル１６９により重畳領域５４１Ａの内部の位置が検出されるごとに、重畳領域５４１Ａにスクロール指示受付画像を、所定時間表示し、スクロール指示受付画像を表示してから所定時間が経過すると、スクロール指示受付画像の表示を終了する。所定時間は、しきい値よりも大きいので、ユーザーが重畳領域５４１Ａを連続して指示している間は重畳領域５４１Ａにスクロール指示受付画像４５１が表示され、ユーザーが重畳領域５４１Ａを最後に指示してからの経過時間がしきい値を超えると、受付モードが通常モードに切り換わるが、ユーザーが重畳領域５４１Ａを最後に指示してから所定時間が経過するまで重畳領域５４１Ａにスクロール指示受付画像４５１が表示されたままになる。同様に、ユーザーが重畳領域５４３Ａを連続して指示している間は重畳領域５４３Ａにスクロール指示受付画像５４３が表示され、ユーザーが重畳領域５４３Ａを最後に指示してからの経過時間がしきい値を超えると、受付モードが通常モードに切り換わるが、ユーザーが重畳領域５４３Ａを最後に指示してから所定時間が経過するまで重畳領域５４３Ａにスクロール指示受付画像４５２が表示されたままになる。
【００７９】
状態切換部６５は、指示検出部５３から選択指示が入力されることに応じて、選択指示に含まれる選択画像識別情報で特定される選択画像の状態を切り換える。例えば、選択画像の表示態様を、他の選択画像と異ならせる。例えば、選択指示に含まれる選択画像識別情報で特定される選択画像の明度を、他の選択画像よりも明度を高くする。また、選択指示に含まれる選択画像識別情報で特定される選択画像を反転表示し、他の選択画像を反転表示することなく通常表示のままにする。また、状態切換部６５は、選択指示に含まれる選択画像識別情報で特定される選択画像が別のウィンドウを表示するコマンドが関連付けられている場合には、そのコマンドを実行して選択画像に関連するウィンドウを表示する。
【００８０】
状態切換部６５は、選択画像の状態を切り換えた後に、指示検出部５３から選択指示が入力されることに応じて、選択指示に含まれる選択画像識別情報で特定される選択画像の状態を元に戻す。表示態様を他の選択画像と異ならせた場合には、他の選択画像と同じ表示態様にする。別のウィンドウを表示した場合には、別のウィンドウの表示を中止する。このため、モード切換部５１は、操作画面が表示された後、受付モードを通常モードから連続モードに切り換えるための条件として、タッチパネル１６９が重畳領域５４１Ａ，５４３Ａ内の位置を連続して検出する回数は、偶数回とするのが好ましい。受付モードを連続モードに切り換える段階で、選択画像の状態を切り換えないようにすることができる。
【００８１】
図６は、受付モードが連続モード時の操作画面の一例を示す図である。図６に示す操作画面５００Ａは、図５に示した操作画面５００において、戻り指示を示すスクロール指示受付画像５４１が、ユーザーにより連続して３回以上指示されることにより表示される画面である。図６を参照して、操作画面５００Ａは、図５に示した操作画面５００と異なる点は、スクロール領域５１０が、スクロール領域５１０Ａに変更された点である。操作画面５００Ａは、スクロール領域５１０Ａに順番が第１番目から第５番目の選択画像５２１〜５２５が配置される。スクロール領域５１０は、両端部の２つの重畳領域５４１Ａ，５４３Ａを含む。重畳領域５４１Ａは、第１番目の選択画像５２１の一部と重なり、スクロール指示受付画像５４１が第１番目の選択画像５２４に重畳して表示される。重畳領域５４３Ａは、第５番目の選択画像５２５の右側に配置され、スクロール指示受付画像５４３が表示される。
【００８２】
また、操作画面５００Ａは、重畳領域５４１Ａの下方および重畳領域５４３Ａの下方それぞれに、受付可能回数表示画像５５１，５５３を含む。受付可能回数表示画像５５１は、戻り指示を示すスクロール操作を受け付け可能な回数「０」が表され、ユーザーに戻り指示を示すスクロール操作を入力可能な回数が「０」であることを通知する。受付可能回数表示画像５５３は、送り指示を示すスクロール操作を受け付け可能な回数「５」が表され、ユーザーに戻り指示を示すスクロール操作を入力可能な回数が「５」であることを通知する。
【００８３】
さらに、操作画面５００Ａは、戻り指示を示すスクロール指示受付画像５４１が表示される重畳領域５４１Ａの右側に第１番目の選択画像５２１に重畳して配置された受付不可画像５６１を含む。受付不可画像５６１は、ここでは赤色の矩形の画像としている。なお、図では、赤色をハッチングで示している。受付不可画像５６１は、戻り指示を示すスクロール操作を受け付けできないことをユーザーに通知するための画像である。
【００８４】
なお、ここでは、操作画面５００Ａは、スクロール領域５１０Ａに順番が第１番目から第５番目の選択画像５２１〜５２５が配置される場合を例に示したが、スクロール領域５１０Ａに順番が第６番目から第１０番目の選択画像５２６〜５３０が配置される場合には、受付可能回数表示画像５５１は、戻り指示を示すスクロール操作を受け付け可能な回数「５」が表され、受付可能回数表示画像５５３は、送り指示を示すスクロール操作を受け付け可能な回数「０」が表される。さらに、操作画面５００Ａは、送り指示を示すスクロール指示受付画像５４３が表示される重畳領域５４３Ａの左側に第１０番目の選択画像５３０に重畳して配置された受付不可通知画像を含む。この場合、受付不可通知画像は、送り指示を示すスクロール操作を受け付けできないことをユーザーに通知するための画像である。
【００８５】
図７は、受付モードが通常モード時の操作画面の一例を示す図である。図７に示す操作画面５００Ｂは、図５に示した操作画面５００において、戻り指示を示すスクロール指示受付画像５４１が、ユーザーにより３回指示された後に表示される画面である。図７を参照して、操作画面５００Ｂは、図５に示した操作画面５００と異なる点は、スクロール領域５１０が、スクロール領域５１０Ｂに変更された点である。スクロール領域５１０Ｂは、両端部の２つの重畳領域５４１Ａ，５４３Ａを含む。重畳領域５４１Ａは、第１番目の選択画像５２１の一部と重なる。重畳領域５４３Ａは、第５番目の選択画像５２５の右側に配置され、スクロール指示受付画像５４３が表示される。
【００８６】
操作画面５００Ｂは、図５に示した操作画面５００のスクロール領域５１０に配置されていた戻り指示を示すスクロール指示受付画像５４１を含まない。順番が第１番目の選択画像５２１が表示されているため、戻り指示を示すスクロール指示を受け付ける必要がないからである。
【００８７】
図８は、指示受付処理の流れの一例を示すフローチャートである。指示受付処理は、ＭＦＰ１００が備えるＣＰＵ１１１が、ＲＯＭ１１３、ＨＤＤ１１５またはＣＤ−ＲＯＭ１１８に記憶された操作受付プログラムを実行することにより、ＣＰＵ１１１により実行される処理である。図８を参照して、ＣＰＵ１１１は、メニュー画面をＬＣＤ１６５に表示する（ステップＳ０１）。例えば、メニュー画面は、デフォルトで定められた操作画面である。メニュー画面は、複数の操作画面をそれぞれ識別するための複数の画面識別情報を含む。
【００８８】
次のステップＳ０２においては、操作画面が選択されたか否かを判断する。ＬＣＤ１６５にメニュー画面が表示された状態で、メニュー画面に含まれる複数の画面識別情報のいずれかを指示する操作がタッチパネル１６９によって検出される場合、操作画面がユーザーにより選択されたと判断する。また、操作画面は、別の操作画面に遷移するためのコマンドが関連付けられた遷移ボタンを含む場合がある。後述するステップＳ１４から処理が進む場合、ＬＣＤ１６５に操作画面が表示されている。操作画面がＬＣＤ１６５に表示された状態で、遷移ボタンを指示する操作がタッチパネル１６９によって検出される場合、遷移ボタンに関連付けられた操作画面が選択されたと判断する。ＣＰＵ１１１は、操作画面が選択されると処理をステップＳ０３に進め、そうでなければ処理をステップＳ０４に進める。
【００８９】
ステップＳ０３においては、選択された操作画面をＬＣＤ１６５に表示し、処理をステップＳ０４に進める。ステップＳ０４においては、操作を検出したか否かを判断する。操作を検出したならば処理をステップＳ０５に進めるが、そうでなければ処理をステップＳ０２に戻す。ＣＰＵ１１１が、後述する操作検出処理を実行することにより、ＣＰＵ１１１が操作を検出する。ここでは、操作検出処理を実行することによりＣＰＵ１１１が検出する操作を、スクロール操作と、選択画像指示操作と、その他の操作と、を含む場合を例に説明する。スクロール操作は、操作画面に含まれるスクロール指示受付画像を指示する操作である。選択画像指示操作は、操作画面に含まれる選択画像を指示する操作である。その他の操作は、スクロール操作および選択画像指示操作以外の操作である。その他の操作は、指示受付処理の終了を指示する終了指示操作を含む。
【００９０】
ステップＳ０５においては、ステップＳ０４において検出された操作が、スクロール操作か否かを判断する。スクロール操作が検出されたならば処理をステップＳ０６に進めるが、そうでなければ処理をステップＳ０９に進める。ステップＳ０６においては、検出されたスクロール操作に基づいてスクロール方向を決定する。スクロール操作は、送り指示と戻り指示とを含む。送り指示ならばスクロール方向を順番が後の選択画像を含む方向に決定し、戻り指示ならばスクロール方向を順番が前の選択画像を含む方向に決定する。次のステプＳ０７においては、スクロール領域表示処理を実行し、処理をステップＳ０２に戻す。スクロール領域表示処理の詳細は後述するが、スクロール領域に選択画像とスクロール指示受付画像を表示する処理である。
【００９１】
ステップＳ０８においては、ステップＳ０４において検出された操作が、選択画像指示操作か否かを判断する。選択画像指示操作が検出されたならば処理をステップＳ０９に進めるが、そうでなければ処理をステップＳ１３に進める。選択画像指示操作は、スクロール領域に表示されている配置可能数Ｎの選択画像のいずれかをユーザーが指示する操作である。ステップＳ０９においては、選択画像指示操作により定まる選択画像を特定する。換言すれば、スクロール領域に表示されている配置可能数Ｎの選択画像のうちユーザーにより指示された選択画像を特定する。そして、特定された選択画像の状態が切換済か否かを判断する（ステップＳ１０）。選択画像の状態が切換済ならば処理をステップＳ１１に進めるが、そうでなければ処理をステップＳ１２に進める。ステップＳ１２においては、ステップＳ０９において特定された選択画像の状態を切り換え、処理をステップＳ０２に戻す。例えば、選択画像の表示態様を、他の選択画像の表示態様と異ならせる。また、選択画像が、別のウィンドウを表示するコマンドが関連付けられている場合には、そのコマンドを実行し、別のウィンドウを表示する。一方、ステップＳ１１においては、選択画像の状態を元の状態に戻す。例えば、表示態様を切り換えている場合には、他の選択画像と同じ表示態様にする。また、選択画像に関連付けられたコマンドを実行して別のウィンドウを表示している場合には、そのウィンドウを閉じる。
【００９２】
ステップＳ１３においては、ステップＳ０４において検出された操作が、終了指示操作か否かを判断する。終了指示操作ならば処理を終了し、そうでなければ処理をステップＳ１４に進める。ステップＳ１４においては、ステップＳ０４において検出された操作に対応して予め定められた処理を実行し、処理をステップＳ０２に戻す。ステップＳ０４において検出された操作に対応して予め定められた処理は、限定するものではないが、例えば、別の操作画面に切り換える処理、ジョブを実行する処理等である。
【００９３】
図９は、受付モード切換処理の流れの一例を示すフローチャートである。受付モード切換処理は、ＭＦＰ１００が備えるＣＰＵ１１１が、ＲＯＭ１１３、ＨＤＤ１１５またはＣＤ−ＲＯＭ１１８に記憶された操作受付プログラムを実行することにより、ＣＰＵ１１１により実行される処理である。ＣＰＵ１１１は、受付モード切換処理を、上述した指示受付処理と並列に実行する。図９を参照して、ＣＰＵ１１１は、受付モードを、通常モードに切り換える（ステップＳ４１）。次のステップＳ４２においては、変数Ｃに初期値「０」を設定する。変数Ｃは、ユーザーがスクロール指示受付画像を指示する回数、換言すれば、スクロール操作の回数をカウントするための変数である。
【００９４】
ステップＳ４３においては、タッチパネル１６９がＬＣＤ１６５の表示面中でユーザーにより指示された位置を検出したか否かを判断する。位置を検出したならば処理をステップＳ４４に進めるが、そうでなければ処理をステップＳ５３に進める。ステップＳ５３においては、ユーザーによる操作を検出したか否かを判断する。例えば、ハードキー部１７０を指示する操作、自動原稿搬送装置１２０に原稿を載置する操作を受け付けたか否かを判断する。ユーザーによる操作を検出したならば処理をステップＳ５１に進めるが、そうでなければ処理をステップＳ４３に戻す。
【００９５】
ステップＳ４４においては、ステップＳ４３において検出された位置が、操作画面中の重畳領域内か否かを判断する。重畳領域４５１Ａまたは重畳領域４５３Ａのいずれかの内部の位置がタッチパネル１６９により検出されたか否かを判断する。重畳領域の内部の位置がタッチパネル１６９により検出されたならば処理をステップＳ４５に進めるが、そうでなければ処理をステップＳ５３に進める。ステップＳ４５においては、変数Ｃをインクリメントし、処理をステップＳ４６に進める。ステップＳ４６においては、変数Ｃの値が２以上か否かを判断する。変数Ｃの値が２以上ならば処理をステップＳ４８に進めるが、そうでなければ処理をステップＳ４７に進める。変数Ｃの値が２より小さい場合は、ユーザーにより重畳領域４５１Ａまたは重畳領域４５３Ａが最初に指示される場合である。ステップＳ４７においては、タイマーＴをスタートし、処理をステップＳ４３に戻す。タイマーＴは、タッチパネル１６９がユーザーにより指示された位置を検出してからの経過時間を計時する。
【００９６】
処理がステップＳ４８に進む場合は、変数Ｃの値が２以上の場合であり、ユーザーにより重畳領域４５１Ａまたは重畳領域４５３Ａのいずれかが２回以上指示される場合である。ステップＳ４８においては、タイマーＴの値がしきい値ＴＨ１以下か否かを判断する。タイマーＴの値がしきい値ＴＨ１以下ならば処理をステップＳ４９に進めるが、そうでなければ処理をステップＳ５１に進める。しきい値ＴＨ１は、予め定められた値であり、ユーザーが重畳領域４５１Ａまたは重畳領域４５３Ａのいずれかを連続して指示する場合に、指示する間隔の最大値である。例えば、ユーザーが重畳領域４５１Ａまたは重畳領域４５３Ａを連続して指示する間隔を、履歴として記憶しておき、その履歴を用いてしきい値ＴＨ１を決定するようにしてもよい。履歴として記憶された間隔の最大値とするのが好ましい。ユーザーが異なれば、重畳領域４５１Ａまたは重畳領域４５３Ａを連続して指示する間隔が異なるので、ＭＦＰ１００を操作するユーザーに対応したしきい値を用いることができる。
【００９７】
ステップＳ４９においては、受付モードを連続モードに切り換え、処理をステップＳ５０に進める。ステップＳ５０においては、ステップＳ４７と同様に、タイマーＴをスタートし、処理をステップＳ４３に戻す。
【００９８】
ステップＳ５１においては、受付モードを通常モードに切り換え、処理をステップＳ５２に進める。ステップＳ５２においては、変数Ｃに初期値「０」を設定し、処理をステップＳ４３に戻す。処理がステップＳ５１に進む場合は、ステップＳ４４において、ユーザーにより指示された位置が重畳領域でないと判断された場合、ステップＳ４８において、タイマーＴの値がしきい値Ｔｈ１より大きいと判断された場合、または、ステップＳ５３において、ユーザーによる操作が検出される場合である。タイマーＴの値がしきい値ＴＨ１より大きい場合は、ユーザーが重畳領域４５１Ａまたは重畳領域４５３Ａ、例えば、重畳領域４５１Ａを指示してから次に重畳領域４５１Ａを指示するまでの間隔が、しきい値ＴＨ１より大きい場合であり、この場合には、ユーザーが重畳領域４５１Ａを連続して指示した場合とは判断しない。また、ユーザーが重畳領域４５１Ａと異なる位置を指示する場合、または、ユーザーがタッチパネル１６９を指示する操作とは異なる操作をする場合は、タイマーＴがしきい値ＴＨ１以下の場合であっても、ユーザーが重畳領域４５１Ａを連続して指示した場合とは判断しない。
【００９９】
図１０は、操作検出処理の流れの一例を示すフローチャートである。操作検出処理は、ＭＦＰ１００が備えるＣＰＵ１１１が、ＲＯＭ１１３、ＨＤＤ１１５またはＣＤ−ＲＯＭ１１８に記憶された操作受付プログラムを実行することにより、ＣＰＵ１１１により実行される処理である。ＣＰＵ１１１は、操作検出処理を、上述した指示受付処理および受付モード切換処理と並列に実行する。このため、ＣＰＵ１１１が受付モード切換処理を実行することによって、受付モードが通常モードと連続モードとのいずれかに切り換えられている。図１０を参照して、ＣＰＵ１１１は、タッチパネル１６９がＬＣＤ１６５の表示面中でユーザーにより指示された位置を検出したか否かを判断する（ステップＳ２１）。位置を検出するまで待機状態となり（ステップＳ２１でＮＯ）、位置を検出したならば（ステップＳ２１でＹＥＳ）、処理をステップＳ２２に進める。
【０１００】
ステップＳ２２においては、受付モードによって処理を分岐させる。受付モードが通常モードに切り換えられていれば処理をステップＳ２３に進めるが、受付モードが連続モードに切り換えられていれば処理をステップＳ３０に進める。
【０１０１】
ステップＳ２３においては、ステップＳ２１において検出された位置が、操作画面中の重畳領域内か否かを判断する。重畳領域４５１Ａまたは重畳領域４５３Ａのいずれかの内部の位置がタッチパネル１６９により検出されたか否かを判断する。重畳領域内の位置がタッチパネル１６９により検出されたならば処理をステップＳ２４に進めるが、そうでなければ処理をステップＳ２７に進める。ステップＳ２４においては、重畳領域にスクロール指示受付画像が表示されているか否かを判断する。スクロール指示受付画像が表示されていれば処理をステップＳ２５に進めるが、そうでなければ処理をステップＳ２６に進める。例えば、タッチパネル１６９により重畳領域４５１Ａ内の位置が検出される場合、重畳領域４５１Ａにスクロール指示受付画像４５１が表示されていれば処理をステップＳ２５に進めるが、そうでなければ処理をステップＳ２６に進める。タッチパネル１６９により重畳領域４５３Ａ内の位置が検出される場合、重畳領域４５３Ａにスクロール指示受付画像４５３が表示されていれば処理をステップＳ３１に進めるが、そうでなければ処理をステップＳ３２に進める。
【０１０２】
ステップＳ２５においては、スクロール操作を検出し、処理をステップＳ２１に戻す。タッチパネル１６９により重畳領域４５１Ａ内の位置が検出される場合、スクロール指示受付画像４５１に関連付けられた戻り指示を示すスクロール操作を検出する。タッチパネル１６９により重畳領域４５３Ａ内の位置が検出される場合、スクロール指示受付画像４５３に関連付けられた送り指示を示すスクロール操作を検出する。ステップＳ２６においては、ステップＳ２１において検出された位置を含む選択画像を指示する選択画像指示操作を検出し、処理をステップＳ２１に戻す。
【０１０３】
ステップＳ２７においては、ステップＳ２１において検出された位置が、操作画面中の選択画像内か否かを判断する。選択画像の内部の位置がタッチパネル１６９により検出されたならば処理をステップＳ２８に進めるが、そうでなければ処理をステップＳ２９に進める。ステップＳ２８においては、選択画像指示操作を検出し、処理をステップＳ２１に戻す。ステップＳ２９においては、その他の操作を検出し、処理をステップＳ２１に戻す。例えば、操作画面中でステップＳ２１において検出された位置に関連付けられた操作を検出する、例えば、操作画面中でステップＳ２１において検出された位置が、遷移ボタン内ならば、遷移ボタンに関連付けられた操作画面を表示する操作を検出する。なお、操作画面中でステップＳ２１において検出された位置に関連付けられた操作が存在しない場合には、そのまま処理をステップＳ２１に戻す。
【０１０４】
処理がステップＳ３０に進む場合、受付モードが連続モードの場合である。ステップＳ３０においては、ステップＳ２１において検出された位置が、操作画面中の重畳領域内か否かを判断する。重畳領域４５１Ａまたは重畳領域４５３Ａのいずれかの内部の位置がタッチパネル１６９により検出されたか否かを判断する。重畳領域内の位置がタッチパネル１６９により検出されたならば処理をステップＳ３１に進めるが、そうでなければ処理をステップＳ３２に進める。
【０１０５】
ステップＳ３１においては、ステップＳ２１において検出された位置を含む重畳領域に対応するスクロール指示受付画像に関連付けられたスクロール操作を検出し、処理をステップＳ２１に戻す。タッチパネル１６９により重畳領域４５１Ａ内の位置が検出される場合、重畳領域４５１Ａに対応するスクロール指示受付画像４５１に関連付けられた戻り指示を示すスクロール操作を検出する。タッチパネル１６９により重畳領域４５３Ａ内の位置が検出される場合、重畳領域４５３Ａに対応するスクロール指示受付画像４５３に関連付けられた送り指示を示すスクロール操作を検出する。
【０１０６】
ステップＳ３２〜ステップＳ３４の処理は、ステップＳ２７〜ステップＳ２９の処理とそれぞれ同じである。従って、ここでは説明を繰り返さない。
【０１０７】
図１１は、スクロール領域表示処理の流れの一例を示すフローチャートである。スクロール領域表示処理は、図８のステップＳ０７において実行される処理であり、ステップＳ０７が実行される段階で、スクロール方向が決定されている。戻り指示を示すスクロール操作が検出される場合、スクロール方向は戻り方向である。送り指示を示すスクロール操作が検出される場合、スクロール方向は送り方向である。
【０１０８】
図１１を参照して、ＣＰＵ１１１は、スクロール方向に従って定める順番の選択画像を含む配置可能数Ｎ個の選択画像を選択する（ステップＳ６１）。そして、選択された配置可能数Ｎ個の選択画像を操作画面中のスクロール領域に表示し（ステップＳ６２）、処理をステップＳ６３に進める。具体的には、操作画面が表示された段階では、第１番目から第Ｎ番目までの選択画像を選択し、スクロール領域に並べて配置する。スクロール方向が送り方向の場合、スクロール操作が検出された時点で選択されている配置可能数Ｎの選択画像のいずれよりも順番が後の選択画像を含む配置可能数の選択画像を選択し、スクロール領域に並べて配置する。例えば、スクロール操作が検出された時点で選択されている時点で第１番目から第Ｎ番目までの配置可能数Ｎ個の選択画像を表示している場合、第１番目から第Ｎ番目の選択画像のうち最後の第Ｎ番目の選択画像よりも順番が後の第（Ｎ＋１）番目の選択画像を含むＮ個の選択画像、例えば、第２番目〜第（Ｎ＋１）番目の選択画像を選択し、スクロール領域に並べて配置する。また、スクロール方向が戻り方向の場合、スクロール操作が検出された時点で選択されている配置可能数Ｎの選択画像のいずれかよりも順番が前の選択画像を含む配置可能数の選択画像を選択し、スクロール領域に並べて配置する。例えば、スクロール操作が検出された時点で選択されている第２番目から第（Ｎ＋１）番目までの選択画像を表示している場合、第２番目から第（Ｎ＋１）番目の選択画像のうち最初の第２番目の選択画像よりも順番が前の第１番目の選択画像を含むＮ個の選択画像、例えば、第１番目〜第Ｎ番目の選択画像を選択し、スクロール領域に並べて配置する。
【０１０９】
ステップＳ６３においては、選択された配置可能数Ｎの選択画像の最先の順位が第１番目か否かを判断する。第１番目の選択画像が選択されていれば処理をステップＳ６４に進めるが、そうでなければ処理をステップＳ６５に進める。
【０１１０】
ステップＳ６４においては、戻り指示に対応するスクロール操作を受付できないことを示す受付不可画像を、戻り指示を示すスクロール指示受付画像に対応する重畳領域４５１Ａの近傍に表示し、処理をステップＳ６７に進める。ステップＳ６５においては、最先の選択画像の順番から戻り指示を示すスクロール操作を受付可能な回数を決定する。次のステップＳ６６においては、受付可能数を重畳領域４５１Ａの近傍に表示し、処理をステップＳ６８に進める。なお、処理がステップＳ６４に進む場合にステップＳ６５およびステップＳ６６を実行してもよい。この場合には、受付不可画像が表示されるとともに、受付可能数「０」が表示される。
【０１１１】
ステップＳ６７においては、受付モードが通常モードか否かを判断する。受付モードが通常モードならば処理をステップＳ６９に進めるが、受付モードが連続モードならば処理をステップＳ６８に進める。ステップＳ６８においては、重畳領域４５１Ａにスクロール指示受付画像４５１を表示し、処理をステップＳ６９に進める。
【０１１２】
ステップＳ６９においては、選択された配置可能数Ｎの選択画像の最後の順番が、全ての選択画像のうちで順番が最終の第Ｍ番目か否かを判断する。第Ｍ番目の選択画像が選択されていれば処理をステップＳ７０に進めるが、そうでなければ処理をステップＳ７１に進める。
【０１１３】
ステップＳ７０においては、送り指示に対応するスクロール操作を受付できないことを示す受付不可画像を、重畳領域４５３Ａの近傍に表示し、処理をステップＳ７３に進める。ステップＳ７１においては、最後の選択画像の順番から送り指示に対応するスクロール操作を受付可能な回数を決定する。次のステップＳ７２においては、受付可能数を重畳領域４５３Ａの近傍に表示し、処理をステップＳ７４に進める。なお、処理がステップＳ７０に進む場合にステップＳ７１およびステップＳ７２を実行してもよい。この場合には、受付不可画像が表示されるとともに、受付可能数「０」が表示される。
【０１１４】
ステップＳ７３においては、受付モードが通常モードか否かを判断する。受付モードが通常モードならば処理を指示受付処理に戻すが、受付モードが連続モードならば処理をステップＳ７４に進める。ステップＳ７４においては、最後の選択画像の重畳領域にスクロール指示受付画像を表示し、処理を指示受付処理に戻す。ステップＳ７４においては、重畳領域４５３Ａにスクロール指示受付画像４５３を表示し、処理を指示受付処理に戻す。
【０１１５】
以上説明したように、本実施の形態におけるＭＦＰ１００は、電子機器として機能し、スクロール領域５１０に配置可能数Ｎの選択画像を並べて表示し、スクロール領域５１０に最初の順番の選択画像５２１が表示されていないことを条件に、スクロール領域５１０の重畳領域５４１Ａにスクロール指示受付画像５４１を表示し、最後の順番の選択画像が含まれていないことを条件に、重畳領域５４３Ａにスクロール指示受付画像５４３を表示する。そして、重畳領域５４１Ａの内部の位置が連続して所定回数以上検出されることに応じて、受付モードを通常モードから連続モードに切り換える。同様に、重畳領域５４３Ａの内部の位置が連続して所定回数以上検出されることに応じて、受付モードを通常モードから連続モードに切り換える。例えば、通常モードの状態で重畳領域５４１Ａの内部の位置が検出される場合、検出される位置を含む重畳領域５４１Ａにスクロール指示受付画像５４１が表示されていればスクロール操作を検出し、スクロール指示受付画像５４１が表示されていなければ検出される位置を含む選択画像を特定する選択画像指示操作を検出し、連続モードの状態で重畳領域５４１Ａの内部の位置が検出される場合、検出される位置を含む重畳領域５４１Ａにスクロール指示受付画像５４１が表示されているか否かに係わらず、スクロール操作を検出する。通常モードの状態で重畳領域５４３Ａの内部の位置が検出される場合、検出される位置を含む重畳領域５４３Ａにスクロール指示受付画像５４３が表示されていればスクロール操作を検出し、スクロール指示受付画像５４３が表示されていなければ検出される位置を含む選択画像を特定する選択画像指示操作を検出し、連続モードの状態で重畳領域５４３Ａの内部の位置が検出される場合、検出される位置を含む重畳領域５４３Ａにスクロール指示受付画像５４３が表示されているか否かに係わらず、スクロール操作を検出する。このため、ユーザーがスクロール指示受付画像を連続して所定回数以上指示する場合に、スクロール指示受付画像が表示されているか否かに係わらずスクロール操作が検出されるので、ユーザーが重畳領域内を連続して指示する場合に、重畳領域にスクロール指示受付画像が表示されなくなった場合に重畳領域に表示される選択画像を指示する選択画像指示操作が検出されない。このため、スクロール操作を入力するユーザーの誤操作を防止することができる。
【０１１６】
また、ＭＦＰ１００は、受付モードが連続モードの状態で、配置可能数Ｎの選択画像のうちに全ての選択画像のうちで最初または最後の順番の選択画像が含まれている場合、スクロール指示受付画像をスクロール領域に表示する。このため、連続モードの状態で、最初の順番の選択画像が含まれている場合、スクロール指示受付画像５４１をスクロール領域５１０の重畳領域５４１Ａに表示し、最後の順番の選択画像が含まれている場合、スクロール指示受付画像５４３をスクロール領域５１０の重畳領域５４３Ａに表示するので、重畳領域５４１Ａまたは重畳領域５４３Ａを指示する操作がスクロール操作であることをユーザーに通知することができる。
【０１１７】
例えば、図５に示した操作画面５００において、戻り指示を示すスクロール指示受付画像５４１が、ユーザーにより連続して２回指示されると、受付モードが通常モードから連続モードに切り換わる。そして、戻り指示を示すスクロール指示受付画像５４１が、ユーザーにより連続して３回指示されると、図６に示した操作画面５００Ａが表示される。さらに、戻り指示を示すスクロール指示受付画像５４１が、ユーザーにより連続して４回以上指示される場合は、スクロール操作を検出する。このため、ユーザーは、スクロール指示受付画像５４１を連続して所定回数以上指示する場合に、スクロール指示画像５４１が表示され続けるので、重畳領域を指示する操作をスクロール操作として認識することができる。なお、スクロール領域には、順番が最初の選択画像が表示されているので、スクロール操作が検出されても、スクロール領域に表示するための選択画像の組を選択しない。
【０１１８】
また、ＭＦＰ１００は、受付モードを連続モードに切り換えている状態では、連続モードに切り換える前からタッチパネル１６９により連続して検出されている位置が検出されなくなると、受付モードを連続モードから通常モードに切り換える。このため、重畳領域５４１Ａまたは５４２Ａ内の位置が連続して検出される間のみ受付モードを連続モードに切り換えることができる。
【０１１９】
また、ＭＦＰ１００は、２つの重畳領域５４１Ａ，５４３Ａのいずれか、例えば、重畳領域５４１Ａ内の位置が最後に検出されてからの経過時間がしきい値以内であれば連続モードに切り換え、重畳領域５４１Ａ内の位置が最後に検出されてからの経過時間がしきい値を超えると通常モードに切り換える。このため、重畳領域５４１Ａ、５４３Ａを連続して指示する操作、および、重畳領域５４１Ａを連続して指示する操作の終了を検出することができる。
【０１２０】
また、ＭＦＰ１００は、２つの重畳領域５４１Ａ，５４３Ａのいずれか、例えば、重畳領域５４１Ａ内の位置が連続して検出される間隔をユーザーごとの履歴情報として記憶し、履歴情報に基づいてしきい値を決定するので、重畳領域５４１Ａを連続して指示する操作の間隔を、ユーザーごとに異ならせることができる。
【０１２１】
また、ＭＦＰ１００は、受付モードが連続モードの状態で、順番が最初または最後の選択画像がスクロール領域に表示される場合、順番が最初または最後の選択画像が選択されたことを通知するための受付不可画像を表示する。このため、ユーザーにスクロール操作を入力することができないことを通知することができる。
【０１２２】
また、ＭＦＰ１００は、受付モードが連続モードの状態で、順番が最初または最後の選択画像がスクロール領域に表示されるまでに、スクロール操作を受け付け可能な回数を示す受付可能回数表示画像５５１，５５３を表示する。このため、ユーザーにスクロール操作を可能な回数を通知することができる。
【０１２３】
＜スクロール指示受付画像表示の変形例＞
上述したＭＦＰ１００は、受付モードが連続モードに切り換えられている場合、Ｍ個の選択画像のうち第１番目の選択画像または第Ｍ番目の選択画像がスクロール領域に表示される場合、操作支援部６７が重畳領域４５１Ａまたは重畳領域４５３Ａにスクロール指示受付画像を表示する。
【０１２４】
変形例におけるＭＦＰ１００は、Ｍ個の選択画像のうち第１番目の選択画像がスクロール領域５１０に表示される場合、重畳領域４５１Ａにスクロール指示受付画像を表示しない。また、変形例におけるＭＦＰ１００は、Ｍ個の選択画像のうち第Ｍ番目の選択画像がスクロール領域５１０に表示される場合、重畳領域４５３Ａにスクロール指示受付画像を表示しない。この場合、上述の操作支援部６７は、不要である。
【０１２５】
また、変形例におけるＭＦＰ１００において、指示検出部５３は、受付モードが連続モードの場合、タッチパネル１６９により２つの重畳領域５４１Ａ，５４３Ａのいずれかの内部の位置が検出される場合、例えば、重畳領域５４１Ａ内の位置が検出される場合は重畳領域５４１Ａにスクロール指示受付画像が表示されていればスクロール操作を検出し、畳領域５４１Ａにスクロール指示受付画像が表示されていなければスクロール操作および選択画像指示操作の何れも検出しない。同様に、指示検出部５３は、受付モードが連続モードの場合、タッチパネル１６９により重畳領域５４３Ａ内の位置が検出される場合は重畳領域５４３Ａにスクロール指示受付画像が表示されていればスクロール操作を検出し、畳領域５４３Ａにスクロール指示受付画像が表示されていなければスクロール操作および選択画像指示操作の何れも検出しない。
【０１２６】
例えば、図５に示した操作画面５００において、戻り指示を示すスクロール指示受付画像５４１が、ユーザーにより連続して２回指示されると、受付モードが通常モードから連続モードに切り換わる。そして、戻り指示を示すスクロール指示受付画像５４１が、ユーザーにより連続して３回指示されると、図７に示した操作画面５００Ｂと同じ操作画面が表示される。この場合、重畳領域５４１Ａにはスクロール指示受付画像５４１は表示されていないが、さらに、重畳領域５４１Ａが、ユーザーにより連続して４回以上指示される場合は、スクロール操作を検出する。このため、ユーザーは、重畳領域５４１Ａを連続して所定回数以上、ここでは２回以上指示する場合に、スクロール指示画像５４１が表示されなくなった後に誤ってスクロール指示受付画像５４１が表示されていた重畳領域５４１Ａを指示する場合であっても、重畳領域５４１Ａに表示されている選択画像５２１を特定する選択画像指示操作が検出されないので、スクロール指示受付画像５４１を指示する操作を入力することができる。
【０１２７】
＜受付モード切換タイミングの変形例＞
上述した実施の形態におけるＭＦＰ１００は、モード切換部５１は、重畳領域の内部の位置が検出されてから第１の時間が経過する前に重畳領域の内部の位置が検出されることに応じて、受付モードを連続モードに切り換え、受付モードが連続モードの状態で、重畳領域の内部の位置が検出されてから第１の時間が経過すると、通常モードに切り換える。変形例におけるモード切換部６１は、重畳領域の内部の位置が検出されてから第１の時間が経過する前に重畳領域の内部の位置が検出されることに応じて、受付モードを連続モードに切り換え、受付モードが連続モードの状態で、重畳領域の内部の位置が検出されてから第１の時間より長い第２の時間が経過すると、通常モードに切り換える。
【０１２８】
変形例におけるＭＦＰ１００は、２つの重畳領域５４１Ａ，５４３Ａのいずれか、例えば、重畳領域５４１Ａ内の位置が最後に検出されてからの経過時間が第１の時間以内であれば連続モードに切り換え、重畳領域５４１Ａ内の位置が最後に検出されてからの経過時間が第１の時間より長い第２の時間を超えると通常モードに切り換える。連続モードから通常モードに切り換える場合の条件となる連続する２つの操作の間隔を、連続モードに切り換える場合の条件となる連続する２つの操作の間隔より長くしたので、連続モードの期間をできるだけ長くすることができる。
【０１２９】
また、変形例におけるＭＦＰ１００は、２つの重畳領域５４１Ａ，５４３Ａのいずれか、例えば、重畳領域５４１Ａ内の位置が連続して検出される間隔をユーザーごとの履歴情報として記憶し、履歴情報に基づいて第１の時間を決定するので、重畳領域５４１Ａ、５４３Ａを連続して指示する操作の間隔を、ユーザーごとに異ならせることができる。
【０１３０】
なお、上述した実施の形態においては、電子機器の一例としてＭＦＰ１００について説明したが、図８〜図１１に示した処理をＭＦＰ１００に実行させる操作受付方法、またはその操作受付方法をＭＦＰ１００を制御するＣＰＵ１１１に実行させるための操作受付プログラムとして発明を特定することができるのは言うまでもない。
【０１３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３２】
１００  ＭＦＰ、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１１８  ＣＤ−ＲＯＭ、１２０  自動原稿搬送装置、１３０  原稿読取部、１４０  画像形成部、１５０  給紙部、１６０  操作パネル、１６１  表示制御部、１６５  ＬＣＤ、１６７  入力制御部、１６９  タッチパネル、１７０  ハードキー部、５１  モード切換部、５３  指示検出部、５５  しきい値決定部、５７  操作画面表示部、６１  指示受付画像表示部、６３  選択画像表示部、６５  状態切換部、６７  操作支援部、６９  回数表示部、通知部７１。
【図１】
0006492993.tif 000002
【図２】
0006492993.tif 000003
【図３】
0006492993.tif 000004
【図４】
0006492993.tif 000005
【図５】
0006492993.tif 000006
【図６】
0006492993.tif 000007
【図７】
0006492993.tif 000008
【図８】
0006492993.tif 000009
【図９】
0006492993.tif 000010
【図１０】
0006492993.tif 000011
【図１１】
0006492993.tif 000012